(57)【特許請求の範囲】
【請求項１】
ボデー開口縁に取り付けられたボデー側ウェザーストリップと弾接し、そのボデー開口縁とドア周縁との間、ウエストライン直ぐ下の部分をシールすると共に、ドアの内面、ベルトライン下方部分を覆うドアトリムの端縁が常に車内側から見えるよう、前記ドアに取り付けられたドアウェザーストリップの端末部のひれ状部分の車内側の末端からそのドアトリムに向かって車内側から車外側に湾曲するように延設されたリップの先端の外側面が、常にそのドアトリム端縁に弾接するよう組み付けられ、ドアトリムの端部の車外側面はドアの内面に接するもので、しかも、そのリップがドアトリム端縁に弾接するに当たって、そのリップの車内側の面が、前記ひれ状部分の車内側の端とドアトリム端縁との距離の変化に応じて車内側に凸に容易に撓むことが可能に形成され、しかも前記リップは、前記端末部のひれ状部分よりも薄く、且つその車内側の面が、そのひれ状部分の車内側の面に面一であり、先端に向かって次第に車外側に移るよう形成されていることを特徴とするサッシュレス車用ドアウェザーストリップの端末部構造。
【請求項２】
ボデー開口縁に取り付けられたボデー側ウェザーストリップと弾接し、そのボデー開口縁とドア周縁との間、ウエストライン直ぐ下の部分をシールすると共に、前記ドアに取り付けられたドアウェザーストリップの端末部のひれ状部分の車内側の末端からそのドアトリムに向かって中空状突起が延設されており、その中空状突起の先端の外面は、ドアの内面、ベルトライン下方部分を覆うドアトリムの端縁が常に車内側から見えるよう、常にそのドアトリム端縁に弾接するよう組み付けられ、ドアトリムの端部の車外側面はドアの内面に接するもので、しかも、その中空状突起がドアトリム端縁に弾接するに当たって、その中空状突起の車内側の面が、前記ひれ状部分の車内側の端とドアトリム端縁との距離の変化に応じて車内側に凸に容易に撓むことが可能に形成され、しかも前記中空状突起は、その車内側の面が前記端末部のひれ状部分の車内側の面に面一であると共に、先端に向かって車外側に移るよう形成されていることを特徴とするサッシュレス車用ドアウェザーストリップの端末部構造。
【発明の詳細な説明】
【技術分野】
【０００１】  本発明は、ボデー開口縁に取り付けられたボデー側ウェザーストリップと弾接し、そのボデー開口縁とドア周縁との間の、ウエストラインの直ぐ下の部分をシールするだけでなく、ドア内面パネルを覆うドアトリムとの間の外観に優れたサッシュレス車用ドアウェザーストリップの端末部構造に関する。
【背景技術】
【０００２】  従来、図３に示すサッシュレス車１のボデー１０開口縁とドア２０周縁との間をシールするために、前者ボデー１０の開口縁、ウエストラインＷＬ上方部分にボデー側ウェザーストリップが、また、後者ドア２０の周縁、ウエストラインＷＬ下方部分にドアウェザーストリップが、それぞれ取り付けられており、ドア２０が閉じられると、前記ボデー側ウェザーストリップに対して、それぞれ前記ドア２０のウエストラインＷＬ上方ではドアガラス２１の周縁が、ウエストラインＷＬでは後述するようにドアウェザーストリップの端末部が、またウエストラインＷＬ下方ではボデー１０開口縁に直接ドアウェザーストリップが、それぞれ液密・気密に弾接する。【０００３】  図４は前記図３のＡ−Ａ断面、すなわち前記ドアウェザーストリップ４０の端末部Ｔ、それが取り付けられたドア２０、そのドア２０の内面に取り付けられたドアトリムＤＴを示したものであって、前記ドアウェザーストリップ４０の端末部Ｔは、後述のように複雑に屈折した、前記ドア２０周縁の後又は前面（図では後面）に沿って左右方向に取り付けられた  ひれ状部分Ｆ（芯材Ｉ埋設）と，それに一体に突設された中空部Ｈと，前記ひれ状部分Ｆの車内側の末端に突設されたリップＬ１と，を含んでいる。なお、前記ボデー１０の開口縁の前又は後面（図では前面）と，ドア２０の周縁後又は前面（図では後面）と，は、そのドア２０が閉じられた状態で、略等しい隙間を隔てて互いに相対するよういずれも上下左右の鉛直面に対して僅かに傾斜すると共に、前記隙間が上下方向の中間部分で屈折するよう段差が形成されている。【０００４】  そのうえ、図５に示すように、前記ドアウェザーストリップ４０の端末部Ｔは、ドア２０の周縁後又は前面（図では後面）及びそれの内面パネルの前又は後端部（図で前端部）を覆うと共に、前記車内側末端に突設されたリップＬの先端はドア２０の内面、ベルトライン下方部分を覆う樹脂製板状のドアトリムＤＴの前又は後端縁（図で前端縁）をも覆っていて、ドア２０の内面パネルの露出を防止している。【０００５】  なお、ドアトリムＤＴの周縁部は所定幅ドア２０の内面パネルに密着させてあるが、中央部が車内側段状に突出させてあるため、そのパネル密着部分の見え幅やそれと中央の段状突出部分との境が顕著となり、その形状や組み付けバラツキのため、それぞれ図３及び図４の矢印Ｘ，Ｒのように、ドアトリムＤＴが、平行に前後方向にずれたり、また、その面内で回転し、パネル密着部分と段状突出部分との境が傾いたりすると、前記パネル密着部分の見え幅が設計値と異なったり、その周囲にパネルが露出したりして、外観が損なわれると言う問題点がある。なお、このことに注目した文献は特許を含めて見当たらない。なお、以上の問題点はサッシュレス車、オープンカー等のサッシュレス車に共通に認められることである。
【発明の開示】
【発明が解決しようとする課題】
【０００６】
【０００７】  以上のことから、本発明は、上記した従来技術の欠点を除くために、ドア内面を覆うドアトリムのドア内面パネル密着部分の見え幅にバラツキを生じないサッシュレス車用ドアウェザーストリップの端末部構造を提供することにある。
【課題を解決するための手段】
【０００８】
上記の目的を達成するために、請求項１の発明のサッシュレス車用ドアウェザーストリップの端末部構造は、サッシュレス車のボデー開口縁に取り付けられたボデー側ウェザーストリップと弾接し、そのボデー開口縁とドア周縁との間、ウエストライン直ぐ下の部分をシールすると共に、
ドアの内面、ベルトライン下方部分を覆うドアトリムの端縁が常に車内側から見えるよう、前記ドアに取り付けられたドアウェザーストリップの端末部のひれ状部分の車内側の末端からそのドアトリムに向かって車内側から車外側に湾曲するように延設されたリップの先端の外側面が、常にそのドアトリム端縁に弾接するよう組み付けられ、ドアトリムの端部の車外側面はドアの内面に接するもので、しかも、そのリップがドアトリム端縁に弾接するに当たって、そのリップの車内側の面が、前記ひれ状部分の車内側の端とドアトリム端縁との距離の変化に応じて車内側に凸に容易に撓むことが可能に形成され、しかも前記リップは、前記端末部のひれ状部分よりも薄く、且つその車内側の面が、そのひれ状部分の車内側の面に面一であり、先端に向かって次第に車外側に移るよう形成されている。
【００１０】
請求項２の発明のサッシュレス車用ドアウェザーストリップの端末部構造は、サッシュレス車のボデー開口縁に取り付けられたボデー側ウェザーストリップと弾接し、そのボデー開口縁とドア周縁との間、ウエストライン直ぐ下の部分をシールすると共に、
前記ドアに取り付けられたドアウェザーストリップの端末部のひれ状部分の車内側の末端からそのドアトリムに向かって中空状突起が延設されており、
その中空状突起の先端の外面は、ドアの内面、ベルトライン下方部分を覆うドアトリムの端縁が常に車内側から見えるよう、常にそのドアトリム端縁に弾接するよう組み付けられ、ドアトリムの端部の車外側面はドアの内面に接するもので、しかも、その中空状突起がドアトリム端縁に弾接するに当たって、その中空状突起の車内側の面が、前記ひれ状部分の車内側の端とドアトリム端縁との距離の変化に応じて車内側に凸に容易に撓むことが可能に形成され、しかも前記中空状突起は、その車内側の面が前記端末部のひれ状部分の車内側の面に面一であると共に、先端に向かって車外側に移るよう形成されている。
【発明の効果】
【００１２】  請求項１の発明によれば、ドアトリムに形状又は／及び組み付けのバラツキがあっても、前記リップの先端がそのドアトリムに弾接すると共に、前記ひれ状部分の車内側の端とドアトリム端縁との距離の変化に応じてその車内側の面が車内側に凸に容易に撓むことによって、そのドアトリムの端縁が常に車内側から見えるよう組み付けられているため、例えば、ドアトリムが、平行に前後方向にずれたり、また、その面内で回転し、パネル密着部分と段状突出部分との境が傾いたりしても、そのパネル密着部分の見え幅が変化することはなく、また、ドアトリム周囲にパネルが露出することもない。従ってこの部分の外観が損なわれることはない。【００１３】
また、前記リップは、前記端末部のひれ状部分よりも薄く、且つその車内側の面が、そのひれ状部分の車内側の面に面一であり、その先端に向かって車外側に移るよう形成されているため、そのリップの先端のドアトリム端縁に弾接するとき、前記ひれ状部分の車内側が端とドアトリム端縁との距離の変化に応じて、その車内側の面が車内側に凸に容易に撓み、上述した発明の効果がより一層確実に発揮される。
【００１４】
請求項２の発明によれば、ドアトリムに形状又は／及び組み付けのバラツキがあっても、前記中空状突起の先端がそのドアトリムに弾接すると共に、前記ひれ状部分の車内側の端とドアトリム端縁との距離の変化に応じてその車内側の面が車内側に凸に容易に撓むことによって、そのドアトリムの端縁が常に車内側から見えるよう組み付けられているため、例えばドアトリムが、平行に前後方向にずれたり、また、その面内で回転し、パネル密着部分と段状突出部分との境が傾いたりしても、そのパネル密着部分の見え幅が変化することはなく、また、ドアトリム周囲にパネルが露出することもない。従ってこの部分の外観が損なわれることはない。
【００１５】
また、前記中空状突起は、その車内側の面が前記端末部のひれ状部分の車内側の面に面一であると共に、その先端に向かって車外側に移るよう形成されているため、その中空状突起の先端がドアトリム端縁に弾接するとき、前記ひれ状部分の車内側の端とドアトリム端縁との距離の変化に応じて、その車内側の面が車内側に凸に容易に撓み、上述した発明の効果がより一層確実に発揮される。
【発明を実施するため最良の形態】
【００１６】  本発明を実施するため最良の形態に関わる、サッシュレス車用ドアウェザーストリップの端末部構造について、図１及び図３により説明すると、１はサッシュレス車、２０はそのボデー、１０の左右各開口縁に設けられたドアであって、そのボデー１０の各開口縁とそれに対応するドア２０との間をシールするため、後述するように、前者ボデー１０の各開口縁、ウエストライン上方部分にボデー側ウェザーストリップ３０が，また、後者各ドア２０のウエストラインＷＬ下方周縁にはドアウェザーストリップ４０が，それぞれ取り付けられており、そのドア２０が閉じられると、前記ボデー側ウェザーストリップ３０に対して、前記ドア２０のウエストライン上方ＷＬではドアガラス２１の周縁が、ウエストラインＷＬでは後述するようにドアウェザーストリップ４０の端末部Ｔが、それぞれ液密・気密に弾接するが、ウエストラインＷＬ下方ではボデー１０開口縁に直接ドアウェザーストリップ４０が液密・気密に弾接する。
【００１７】  図１は前記図３のＡ−Ａ断面、すなわち前記ドア２０の後又は前面（図では後面）から内面の一部にわたって取り付けられた、ドアウェザーストリップ４０の端末部Ｔ、そのドア２０の内面を覆うよう取り付けられたドアトリムＤＴ、及び前記ドアウェザーストリップ４０の後端末部Ｔと同レベルに位置するボデー側ウェザーストリップ端末部３０、及びそれが取り付けられたボデー１０を示したものである。そのうち、前記ドアウェザーストリップ４０の端末部Ｔは、ひれ状部分Ｆ（芯材Ｉを埋設）と，その中間に一体に突設された中空部Ｈと，前記ひれ状部分Ｆの車内側の末端に延設されたリップＬと，を含んでおり、型成形されたものである。なお、前記ボデー１０の開口縁の前又は後面（図では前面）と，ドア２０の周縁後又は前面（図では後面）と，は、そのドア２０が閉じられた状態で、略等しい隙間を隔てて互いに相対するよう、いずれも上下左右の鉛直面に対して僅かに傾斜すると共に、前記隙間が上下方向の中間部分で屈折するよう段差が形成されている。
【００１８】  前記リップＬについて詳細説明すると、前記端末部Ｔのひれ状部分Ｆの車内側の末端からそのドアトリムＤＴに向かって延設され、しかも、前記ドアトリムＤＴに形状又は／及び組み付けのバラツキがあっても、そのドアトリムＤＴの端縁が常に車内側から見えるよう、その先端は常にそのドアトリムＤＴ端縁に弾接した状態に組み付けられている。そのうえリップＬは、その先端のドアトリムＤＴ端縁への弾接に当たって、前記ひれ状部分Ｆの車内側の端とドアトリムＤＴ端縁との距離の変化に応じて、その車内側の面ａが車内側に凸に容易に撓むことが可能に、その寸法・形状が設定されている。
【００１９】  さらに詳細に説明すると、前記リップＬは、その水平方向の長さが前記ひれ状部分Ｆの車内側の端とドアトリムＤＴ端縁との水平方向の距離よりも若干（調整代分だけ）大きく設定されており、しかも前記端末部Ｔのひれ状部分Ｆよりも薄く、その車内側の面ａは、そのひれ状部分Ｆの車内側の面ｂに面一になっており、先端に向かって次第に車外側（ドア２０内面）に移り、前記ひれ状部分Ｆの車内側の面ｂに対する傾きの度合いが増すよう、車内側に凸に湾曲している。
【００２０】  作用効果について説明すると、図５の矢印Ｘ，Ｒに示すように、ドアトリムＤＴが、平行に前後方向にずれたり、また、その面内で回転し、パネル密着部分Ｍと段状突出部分Ｐとの境が傾いたりする等の組み付け又は／形状自体のバラツキがあっても、前記ひれ状部分Ｆの車内側の端とドアトリムＤＴ端縁との距離の変化に応じてその車内側の面ａが車内側に凸になるよう撓むことによって、前記端末部ＴのリップＬの先端が常にそのドアトリムＤＴに弾接し、そのドアトリムＤＴの端縁が常に車内側から見えるよう組み付けられているため、そのパネル密着部分Ｍの見え幅が変化することはなく、また、ドアトリムＤＴ周囲にドア２０内面のパネルが露出することもない。従ってこの部分の外観が損なわれることはない。
【００２１】  しかも、前記リップＬは、その水平方向の長さが前記ひれ状部分Ｆの車内側の端とドアトリムＤＴ端縁との水平方向の距離よりも若干（調整代分だけ）大きく設定されているため、前記ひれ状部分Ｆの車内側の端とドアトリムＤＴ端縁との距離の変化に応じた撓みによって、常にその端縁に弾接可能である。また、そのリップＬの車内側の面ａがひれ状部分Ｆとの一体感を損なうこと無く、車内側に凸に容易に撓むことも、前記端末部Ｔのひれ状部分Ｆよりも薄く、且つその車内側の面ａが、そのひれ状部分Ｆの車内側の面ｂに面一であり、その先端に向かって車外側に移るよう車内側に凸に湾曲していることに大きく依存している。
【００２２】  本発明の別の態様のサッシュレス車用ドアウェザーストリップの端末部構造について図２により説明すると、前述のリップＬに換えて、前記ひれ状部分Ｆの車内側の端からドアトリムＤＴに向かって中空状突起ＨＰが延設されたものであって、その他の構成はリップＬを持つものと同じである。
【００２３】  中空状突起ＨＰについて具体的に説明すると、前記ドアトリムＤＴに形状又は／及び組み付けのバラツキがあっても、そのドアトリムＤＴの端縁が常に車内側から見えるよう、その先端は常にそのドアトリムＤＴに弾接した状態に組み付けられている。さらに付け加えると、そのことがより効果的に実現されるよう、その中空状突起ＨＰは、その先端がそのドアトリムＤＴ端縁に弾接した状態では、前記ひれ状部分Ｆの車内側の端とドアトリムＤＴ端縁との距離の変化に応じて、その車内側の面ａａが車内側に凸に容易に撓むことが可能に、その寸法・形状が設定されている。すなわち、
【００２４】  前記中空状突起ＨＰは、その水平方向の長さが前記ひれ状部分Ｆの車内側の端とドアトリムＤＴ端縁との水平方向の距離よりも若干（調整代分だけ）大きく設定されており、図２の破線で示すように、その車内側の面ａａは、そのひれ状部分Ｆの車内側の面ｂに面一になっており、先端に向かって車外側の面ｃｃに次第に近付き、先端で両者が合体することによって中空部を形成すると共に、前記ひれ状部分Ｆの車内側の面ｂに対する傾きの度合いを次第に増し、車内側に凸に湾曲した形状になっている。なお、中空状突起ＨＰの構成は、以上に限定されものでなく、車内側の面ａａが車内側に凸に撓むことがより容易に、例えばその基部を含む厚みがひれ状部分Ｆより薄くてもよく、また車外側の面ｃｃが予め車内側に凸に湾曲していてもよく、またその厚みが車内側の面ａａよりも薄く形成されてもよい。
【００２５】  作用効果について説明すると、ドアトリムＤＴに形状又は／及び組み付けのバラツキがあっても、前記中空状突起ＨＰの先端がそのドアトリムＤＴに弾接すると共に、前記ひれ状部分Ｆの車内側の端とドアトリムＤＴ端縁との距離の変化に応じてその車内側の面ａが車内側に凸に容易に撓むことによって、そのドアトリムＤＴの端縁が常に車内側から見えるよう組み付けられているため、図４の矢印Ｘ，Ｒで示すように、ドアトリムＤＴが、平行に前後方向にズレたり、また、その面内で回転し、ドア２０内面のパネル密着部分Ｍと段状突出部分Ｐとの境が傾いたりしても、そのパネル密着部分Ｍの見え幅が変化することはなく、また、ドアトリムＤＴ周囲にドア２０内面のパネルが露出することもない。従ってこの部分の外観が損なわれることはない。
【００２６】  なお、前記中空状突起ＨＰは、その水平方向の長さが前記ひれ状部分Ｆの車内側の端とドアトリムＤＴ端縁との水平方向の距離よりも若干（調整代分だけ）大きく設定されているため、前記ひれ状部分Ｆの車内側の端とドアトリムＤＴ端縁との距離の変化に応じた撓みによって、常にその端縁に弾接可能である。また、その中空状突起ＨＰの車内側の面ａａがひれ状部分Ｆの車内側の面ｂとの一体感を損なうこと無く、車内側に凸に容易に撓むことも、それが中空状であって、その車内側の面ａａと車外側の面ｃｃとの厚みを加えた値がひれ状部分Ｆのそれに比べて薄く、且つその車内側の面ａが、そのひれ状部分Ｆの車内側の面ｂに面一であり、その先端に向かって車外側に移るよう車内側に凸に湾曲していることに大きく依存している。
【００２７】  その他、上述のように、例えばその基部を含む厚みがひれ状部分Ｆより薄いこと、また車外側の面ｃｃが予め車内側に凸に湾曲していること、またその厚みが車内側の面ａａよりも薄いことは、前記中空状突起ＨＰの車内側の面ａａが車内側に凸に撓むことをより容易にする点で好ましい。
【図面の簡単な説明】
【００２８】
【図１】  本発明を実施するため最良の形態例を示す、（ａ）はその周辺部を含む図３のＡ−Ａ断面図、（ｂ）はその要部拡大図である。
【図２】  本発明の別の態様の要部を示す断面図である。
【図３】  本発明が適用されるサッシュレス車を示す側面図である。
【図４】  図３のＡ−Ａ断面図であって、そのＢ部は従来例を示している。
【図５】  図４の車内側の部分を示す
【符号の説明】
【００２９】    １    サッシュレス車
１０    ボデー
２０    ドア
２１    ドアガラス
３０    ボデー側ウェザーストリップ
４０    ドアウェザーストリップ
ａ      （リップＬの）車内側の面
ａａ    （中空状突起の）車内側の面
ｂ      （ひれ状部分Ｆの）車内側の面
ｃｃ    （中空状突起の）車外側の面
ＤＴ    ドアトリム
Ｆ      ひれ状部分
ＨＰ    中空状突起
Ｉ      芯材
Ｌ      リップ
Ｍ      パネル密着部分
Ｐ      段状突出部分
Ｒ      （ドアトリムＤＴの傾きの方向を示す）矢印
Ｔ      端未部
ＷＬ    ウエストライン
Ｘ      （ドアトリムＤＴのずれの方向を示す）矢印
【図１】
0004712501.tif 000002
【図２】
0004712501.tif 000003
【図３】
0004712501.tif 000004
【図４】
0004712501.tif 000005
【図５】
0004712501.tif 000006